(57)【要約】      （修正有）【課題】撮像した検針メータの画像が二つの数字表示にまたがるような場合でも、検針値を自動で取得することができる検針端末を提供する。【解決手段】検針端末３０は、検針メータ５０の指針値を表示する指針値表示部５２を、撮像部により撮像した検針メータ５０の画像から文字を読み取る文字読取部（制御部）で取得した検針メータ５０の検針値を桁毎に区画して表示する検針値フレーム部を有し、文字読取部（制御部）は、指針値表示部５２の回転軸を仮想基準線とした場合に、指針値表示部５２の回転方向後側に位置する数字表示５３が、所定の範囲の領域まで仮想基準線より指針値表示部５２の回転方向前側に進入している場合に、数字表示として読み取る。【選択図】図１
2020173587.tif 000002
【特許請求の範囲】
【請求項１】
検針メータの指針値を表示する指針値表示部を、撮像部により撮像した前記検針メータの画像から文字を読み取る文字読取部で取得した前記検針メータの検針値を桁毎に区画して表示する検針値フレーム部を有し、
前記指針値表示部が、複数の数字表示を有する回転ドラム形状とされ、前記数字表示は、前記指針値表示部の回転方向において所定の順序に配され、
前記文字読取部は、
前記指針値表示部の回転軸を仮想基準線とした場合に、前記指針値表示部の回転方向後側に位置する前記数字表示が、所定の範囲の領域まで前記仮想基準線より前記指針値表示部の回転方向前側に進入している場合に、当該数字表示として読み取ることを特徴とする検針端末。
【請求項２】
前記指針値表示部を桁毎に画角を調整可能な画角調整フレーム部を表示部に表示し、前記画角調整フレーム部と前記検針値フレーム部との各桁が対応するように配する、表示制御部を備えることを特徴とする請求項１記載の検針端末。
【発明の詳細な説明】
【技術分野】
【０００１】
本発明は、検針業務を支援する検針端末に関するものである。
【背景技術】
【０００２】
従来の検針端末を用いた総合検針情報システムとして、特許文献１に記載されるものがあった。これによれば、固有ＩＤを備えた計測器の画像を撮像する撮像部、送信部、及び第１処理部を有する携帯端末（検針端末）と、ネットワークを介して携帯端末からデータを受信可能な受信部、記憶部及び第２処理部を有する情報処理装置５と、を有し、第１処理部は、画像から固有ＩＤを示す第1データ及び計測器のメータ値を示す第２データを取得して、送信部を用いて第１及び第２データを送信し、第２処理部は、受信部を用いて受信した第１及び第２データを関連付けて記憶部に記憶する、こととされていた。
【０００３】
上記構成により、高価な専用端末を必要とせず、市販の携帯端末を用い、各種計測器（検針メータ）を対象とした信頼性の高い実用性のある総合検針情報システムを提供できるとされていた。
【先行技術文献】
【特許文献】
【０００４】
【特許文献１】特開２０１２−２０８７６３号公報
【発明の概要】
【発明が解決しようとする課題】
【０００５】
しかし、上記の検針端末では、撮像した検針メータの画像が二つの数字表示にまたがり、読み取ったメータ値と実際に表示されたメータ値とが異なる場合には、携帯端末の操作部を操作して修正することとされ、修正することが前提となっていた。
【０００６】
本発明は、上記事情に鑑み、撮像した検針メータの画像が二つの数字表示にまたがるような場合でも、検針値を自動で取得することができる検針端末を提供するものである。
【課題を解決するための手段】
【０００７】
請求項１記載の発明では、検針メータの指針値を表示する指針値表示部を、撮像部により撮像した前記検針メータの画像から文字を読み取る文字読取部で取得した前記検針メータの検針値を桁毎に区画して表示する検針値フレーム部を有し、
前記指針値表示部が、複数の数字表示を有する回転ドラム形状とされ、前記数字表示は、前記指針値表示部の回転方向において所定の順序に配され、
前記文字読取部は、
前記指針値表示部の回転軸を仮想基準線とした場合に、前記指針値表示部の回転方向後側に位置する前記数字表示が、所定の範囲の領域まで前記仮想基準線より前記指針値表示部の回転方向前側に進入している場合に、当該数字表示として読み取る。
【０００８】
これによれば、撮像した検針メータの画像が二つの数字表示にまたがり、従来では、文字の読み取りが困難であった場合でも、検針メータの検針値を取得することができる。
【０００９】
さらに付言すれば、指針値表示部の回転方向後側に位置する数字表示の領域が、指針値表示部の回転方向前側に位置する数字表示の領域より大きい場合であって、検針値の判断が容易でない場合（図１２参照）であっても、検針値を自動で取得することができる。
【００１０】
また、前記指針値表示部を桁毎に画角を調整可能な画角調整フレーム部を表示部に表示し、前記画角調整フレーム部と前記検針値フレーム部との各桁が対応するように配する、表示制御部を備える。
【００１１】
桁毎に画角調整可能な画角調整フレーム部により、フレーム内に指針値を収めることで画角の調整が可能になるので、検針メータの検針値取得の操作を容易にすることができる。
【図面の簡単な説明】
【００１２】
【図１】本発明の検針端末を用いた検針システムの概略構成図である。
【図２】管理サーバの概略説明図である。
【図３】検針端末の概略説明図である。
【図４】パーソナルコンピュータの概略説明図である。
【図５】メータ台帳テーブルの説明図である。
【図６】検針データ比較テーブルの説明図である。
【図７】検針表テーブルの説明図である。
【図８】検針端末で検針作業を行うときの操作表示部の説明図である。
【図９】図８の続きの説明図である。
【図１０】図９の続きの説明図である。
【図１１】検針端末における検針作業の流れを示すフローチャートである。
【図１２】文字読取の処理の説明図である。
【発明を実施するための形態】
【００１３】
本発明における検針端末を用いた検針システムの一実施形態を図面に基づいて説明する。
【００１４】
図１に示すように、検針システム１０は、サーバ２０と、検針端末３０と、パーソナルコンピュータ４０と、から構成され、本実施形態では、電力の使用量を計測する検針メータ５０の検針業務を行うものである。
【００１５】
サーバ２０と、検針端末３０と、パーソナルコンピュータ４０とは、インターネットを含む通信回線で接続され、サーバ２０を介して双方向通信可能に接続されている。
【００１６】
サーバ２０は、図２に示すように、入力部２１、制御部２２、記憶部２３、及び、通信部２４、及び、表示部２５を備えている。本実施形態では、既存のクラウドサーバが用いられる。
【００１７】
入力部２１は、マウス、キーボード等から構成されている。制御部２２は、ＣＰＵ、ＲＡＭ、ＲＯＭ等から構成されている。記憶部２３は、半導体メモリ、ハードディスク装置、コンパクト・ディスク装置等から構成されている。
【００１８】
通信部２４は、通信回線を介して検針端末３０、パーソナルコンピュータ４０と通信を行うためのものである。表示部２５は、液晶ディスプレイ等から構成されている。
【００１９】
検針端末３０は、図３に示すように、制御部３２、記憶部３３、通信部３４、操作表示部３５、及び、撮像部３６を備えている。本実施形態では、既存のスマートフォンが用いられる。
【００２０】
制御部３２は、ＣＰＵ、ＲＡＭ、ＲＯＭ等から構成されている。記憶部３３は、サーバ２０から送信される情報、撮像部３６で撮影された画像データ、等が記憶され、半導体メモリ、ハードディスク装置、コンパクト・ディスク装置等から構成されている。通信部３４は、通信回線を介してサーバ２０、他の携帯端末等と通信を行うためのものである。操作表示部３５は、タッチパッド機能を有した液晶ディスプレイ等から構成され、利用状況、異常の発生等の特記事項、の入力を可能としている。撮像部３６は、レンズ、撮像素子等から構成され、静止画、動画を撮影可能とされている。
【００２１】
パーソナルコンピュータ４０は、図４に示すように、入力部４１、制御部４２、記憶部４３、通信部４４、及び、表示部４５を備え、請求を行う管理会社に設置されている。
【００２２】
入力部４１は、マウス、キーボード等から構成されている。制御部４２は、ＣＰＵ、ＲＡＭ、ＲＯＭ等から構成されている。記憶部４３は、半導体メモリ、ハードディスク装置、コンパクト・ディスク装置等から構成されている。通信部４４は、通信回線を介してサーバ２０と通信を行うためのものである。表示部４５は、液晶ディスプレイ等から構成されている。
【００２３】
検針メータ５０は、電力の使用量を計測する既存の検針メータが用いられ、図１に示すように、ＱＲコード５１（ＱＲコードは、登録商標。以下の説明において、同様とする。）と、指針値表示部５２と、を備えている。指針値表示部５２が、数字表示５３を有する回転ドラム形状とされ、数字表示５３で複数桁の指針値を表示する。数字表示５３は、指針値表示部５２の回転方向（周方向）に沿って０〜９の順に配列されている。
【００２４】
サーバ２０の記憶部２３に記憶される情報としては、検針システム１０に、ログインするときに必要な情報として、検針作業が行われる不動産のＩＤ、各不動産のＩＤに付随するパスワード、検針作業を行う作業員の識別番号等がある。
【００２５】
また、図５〜７に示すように、検針業務に必要な情報を記憶する、メータ台帳テーブル、検針データ比較テーブル、検針表テーブルがある。
【００２６】
メータ台帳テーブルには、図５に示すように、ＮＯ（番号）、検針メータ５０の名称、設置場所、識別番号、設置年月、交換年月、ＣＴの有無等が記憶される。
【００２７】
検針データ比較テーブルには、図６に示すように、ＮＯ（番号）、検針対象となる検針メータ５０の名称、設置場所、前回検針値、使用量、前月比（％）、前年比（％）等が記憶される。
【００２８】
検針表テーブルには、図７に示すように、ＮＯ（番号）、検針対象となる検針メータ５０の名称、設置場所、今回検針値、使用量、前月比、前年比等が記憶される。
【００２９】
なお、上記の情報は、ＱＲコード５１により紐付けがなされている。
【００３０】
そして、サーバ２０、検針端末３０には、サーバ２０と、検針端末３０とが連携可能、かつ、メータ読取機能（ＯＣＲ）を有するアプリケーションがインストールされている。
【００３１】
次に、検針端末３０の動作を、図８〜１２に基づいて説明する。本実施形態では、指針値表示部５２が、数字表示５３を有する回転ドラム形状とされた、検針メータ５０の検針作業を行うものとする。
【００３２】
［アプリ起動］
検針端末３０においてアプリケーションを起動させると、検針端末３０は、操作表示部３５にログイン画面を表示する。検針作業者が、不動産のＩＤ、パスワード、検針作業を行う作業員の識別番号を入力して、検索開始の操作を行い検針システム１０にログインすると、サーバ２０は、検針データ比較テーブルの情報を、検針端末３０に送信する（Ｓ１１）。
【００３３】
［検針値撮影（自動読取）］
サーバ２０からの、検針データ比較テーブルの情報を受信すると、検針端末３０は、操作表示部３５に、図８に参照する、ＮＯ、名称、設置場所等、が表示された画面を表示する。
【００３４】
検針作業者が、操作表示部３５の下側に表示されたＱＲ読取ボタンを操作すると、検針端末３０は、図９に示すように、ＱＲ読取画面を表示する。検針端末３０が、検針メータ５０のＱＲコード５１を読み込むと、検針端末３０は、ＱＲコード５１により紐付られた検針メータ５０を選択して、検針画面を操作表示部３５に表示する。
【００３５】
図１０に示すように、検針端末３０は、撮像領域ＳＡに撮像画面を表示し、撮像領域ＳＡに、複数の矩形状のフレームで構成され、数字表示５３を桁毎にフレーム内に配置することで、撮像部３６の画角を調整する画角調整フレーム部ＧＦを表示する。
【００３６】
また、検針端末３０は、撮像領域ＳＡの下側に、アプリケーション内のメータ読取機能（ＯＣＲ）により、読み取られた、検針メータ５０の指針値表示部５２に表示される検針値を表示する検針値フレーム部ＫＦを表示する。
【００３７】
検針値フレーム部ＫＦは、複数の矩形状のフレームで構成され、画角調整フレーム部ＧＦと検針値フレーム部ＫＦとの各桁が対応するように配される。
【００３８】
画角調整フレーム部ＧＦの各フレーム内に、検針メータ５０の各桁の数字表示５３を配置すると、画角が調整された状態となり、アプリケーション内のメータ読取機能（ＯＣＲ）により、検針端末３０は、検針メータ５０の指針値表示部５２の各桁の数字表示５３を読み取る（Ｓ１２）。
【００３９】
［検針値撮影（自動読取）］
図１２に基づいて、ステップＳ１２について説明する。予め指針値表示部５２の各桁の数字表示５３の画像データを数千〜数万枚用意し、その画像がどの数字に対応する数字表示５３であるかの正解を用意して、画像データと正解のペアからなる学習データを生成する。
【００４０】
このとき、文字読取の基準として、図１２の上段に示すように、指針値表示部５２の回転軸を仮想基準線とした場合に、指針値表示部５２の回転方向後側に位置する数字表示５３が、所定の範囲の領域まで仮想基準線より指針値表示部５２の回転方向前側に進入している場合に、当該数字表示５３として読み取る。
【００４１】
そして、図１２の下段に示すように、学習データをもとに、読取画像を認識させ自動出力を行う。誤った値の出力時は、改めて正しい値を補正入力し、正しい値の出力時は間違っていないことを再度反復させて、学習済みモデルを生成する。当該学習済みモデルを利用して数字表示５３の読み取りを実行する。
【００４２】
図１２を参照して具体的に説明すると、左から三番目の読取画像に参照するように、読取画像の右側に表示されている、数字表示５３としての７が、図１２における上下方向の中央部に位置する長い目盛り（基準目盛り）に対応する部分より上側の領域が、仮想基準線より上側に進入したときに当該数字として読み取る。この状態の数字表示５３としての７が、検針メータ５０が計測した正しい指針値となる。
【００４３】
まず、左から一番目の読取画像では、上下方向に沿って数字表示５３の上側が切れた６と下側が切れた７が写っている。この場合、指針値表示部５２の回転方向後側（下側）に位置する数字表示５３としての７の長い目盛り（基準目盛り）に対応する部分より上側の領域が、仮想基準線より上側に進入していないので、正解は６としている。左から２番目の読取画像では、左から一番目の読取画像より若干上側に移動した数字表示５３としての６と７が写っている。この場合、左から一番目の読取画像と同様に正解は６としている。
【００４４】
左から三番目の読取画像では、数字表示５３としての７が写っている。この場合、上下方向の中央部に位置する長い目盛り（基準目盛り）に対応する部分より上側の領域が、仮想基準線より上側に進入しているので、正解は７としている。
【００４５】
左から四番目の読取画像では、上下方向に沿って数字表示５３の７の一部と８が写っている。この場合、指針値表示部５２の回転方向後側（下側）に位置する数字表示５３としての８は、長い目盛り（基準目盛り）に対応する部分より上側の領域が、まだ仮想基準線より上側に進入していないので、正解は７としている。左から五番目の読取画像では、上下方向に沿って数字表示５３の７の一部と８が写っている。この場合、左から四番目の読取画像と同様に正解は７としている。
【００４６】
左から６番目の読取画像では、上下方向に沿って数字表示５３の８が写っている。この場合、数字表示５３としての８が、上下方向の中央部に位置する長い目盛り（基準目盛り）に対応する部分より上側の領域が、仮想基準線より上側に進入しているので、正解は８としている。
【００４７】
なお、指針値表示部５２に目盛りが表示されていない場合でも、長い目盛り（基準目盛り）に対応する部分より上側の領域と同様の領域が、仮想基準線より上側に進入したときに当該数字として読み取るものとする。
【００４８】
図１２における、左から四、五番目の読取画像は、通常の文字読取の処理をすると、数字表示５３としての８として読み取られる可能性が高いが、本発明においては、実際の検針作業で読み取り作業を行う基準に即した読み取りを可能としている。
【００４９】
［検針完了］
検針端末３０は、読み取った各数字表示５３を、検針値フレーム部ＫＦの各フレーム内に、各桁の数字表示５３を配置した状態で表示する。
【００５０】
検針作業者が、画角調整フレーム部ＧＦに表示された検針メータ５０の検針値と、検針値フレーム部ＫＦに表示された検針メータ５０の検針値とが、整合して間違いが無いか確認して、ＯＫボタンを操作すると、制御部３２により、今回の検針値と、前月の検針値とを比較し、今回の使用量、前月比を算出するとともに、今回の検針値と、前年の検針値とを比較し、前年比を算出し、記憶部３３に記憶する（Ｓ１３）。
【００５１】
［検針データ送信］
検針作業者が、登録ボタンを操作すると、サーバ２０に、算出された、今回の検針値、今回の使用量、前月比、前年比等の情報を送信する（Ｓ１４）。
【００５２】
サーバ２０が、検針端末３０から送信された情報を受信すると、記憶部２３を構成する、メータ台帳テーブル、検針データ比較テーブル、検針表テーブルに、記憶する。
【００５３】
サーバ２０で、検針情報を集計して、管理会社のパーソナルコンピュータ４０に送信して、受け取った管理会社において、請求業務を行うことになる。
【００５４】
以上、説明したように、本実施形態の検針端末３０では、検針メータ５０の指針値を表示する指針値表示部５２を、撮像部３６により撮像した検針メータ５０の画像から文字を読み取る文字読取部（制御部３２）で取得した検針メータ５０の検針値を桁毎に区画して表示する検針値フレーム部ＫＦを有し、
指針値表示部５２が、複数の数字表示５３を有する回転ドラム形状とされ、数字表示５３は、指針値表示部５２の回転方向において所定の順序に配され、
文字読取部（制御部３２）は、
指針値表示部５２の回転軸を仮想基準線とした場合に、指針値表示部５２の回転方向後側に位置する数字表示５３が、所定の範囲の領域まで仮想基準線より指針値表示部５２の回転方向前側に進入している場合に、当該数字表示５３として読み取る。
【００５５】
これによれば、撮像した検針メータ５０の画像が二つの数字表示５３にまたがり、従来では、文字の読み取りが困難であった場合でも、検針メータ５０の検針値を取得することができる。
【００５６】
さらに付言すれば、指針値表示部５２の回転方向後側に位置する数字表示５３の領域が、指針値表示部５２の回転方向前側に位置する数字表示５３の領域より大きい場合であって、検針値の判断が容易でない場合（図１２参照）であっても、検針値を自動で取得することができる。
【００５７】
また、指針値表示部５２を桁毎に画角を調整可能な画角調整フレーム部ＧＦを操作表示部３５に表示し、画角調整フレーム部ＧＦと検針値フレーム部ＫＦとの各桁が対応するように配する、表示制御部（制御部３２）を備える。
【００５８】
桁毎に画角調整可能な画角調整フレーム部ＧＦにより、検針メータ５０ごとにテンプレートを用意することなく、フレーム内に指針値を収めることで画角の調整が可能になるので、検針メータ５０の検針値取得の操作を容易にすることができる。
【００５９】
本発明の検針端末は上記構成に限定されるものではない。即ち、本発明の要旨を逸脱しない限り各種の設計変更等が可能である。
【００６０】
例えば、上記実施形態では、電力の使用量を計測する検針メータ５０であったが、ガス、水道等の検針メータ５０の検針業務に用いることも可能である。
【００６１】
また、上記実施形態では、機械学習における、教師あり学習により文字読取をしたが、ディープラーニング等、他の手法により文字読取することも可能である。
【符号の説明】
【００６２】
３０  検針端末
３２  制御部
３５  操作表示部
３６  撮像部
５０  検針メータ
５２  指針値表示部
５３  数字表示
ＫＦ  検針値フレーム部
ＧＦ  画角調整フレーム部
【図１】
2020173587.tif 000003
【図２】
2020173587.tif 000004
【図３】
2020173587.tif 000005
【図４】
2020173587.tif 000006
【図５】
2020173587.tif 000007
【図６】
2020173587.tif 000008
【図７】
2020173587.tif 000009
【図８】
2020173587.tif 000010
【図９】
2020173587.tif 000011
【図１０】
2020173587.tif 000012
【図１１】
2020173587.tif 000013
【図１２】
2020173587.tif 000014